(57)【特許請求の範囲】
【請求項１】
レンズを備えたレンズホルダと、ベースに設置された固定部材と、一端を固定部材に固定し他端をレンズホルダに連係させて該レンズホルダをディスク記録媒体の略垂直方向及び／又は略半径方向に移動可能に支持する複数本の金属弾性部材を備えた光学系支持装置であって、
前記固定部材に合わさり、金属弾性部材の一端を固定部材において接着剤を介して固定する第１の空間領域とこの第１の空間領域に隣接し該金属弾性部材をその長手方向に沿って取り囲んでダンピング用のゲル状弾性体を充填する第２の空間領域とを形成する蓋体を設け、
第１の空間領域に弾性部材の保持端を望ませる端面開口を形成し、第２の空間領域に該端面開口とは逆向きにおいてのみ開放し、金属部材の長手方向に沿って該第２の空間境域内にゲル状弾性体を充填する単一開口を設け、
前記蓋体が、固定部材の外側面部に当てつけてディスク記録媒体の半径方向（Ｘ方向）の位置決めを行う内側面部と、該固定部材の凸部に当てつけて前記金属部材の長手方向（Ｙ方向）の位置決めを行う、該蓋体に一体的に設けられたアームと、該固定部材の上面部に当てつけてディスク記録媒体の垂直方向（Ｚ方向）の位置決めを行う上内面部とを有する、ことを特徴とする光学系支持装置。
【請求項２】
蓋体は、各金属弾性部材毎に第１の空間領域及び第２の空間領域を形成するものであるか、もしくは、金属弾性部材の複数本につき同時に第１の空間領域及び第２の空間領域を形成するものであり、
固定部材と蓋体とを、第１の空間領域の端面開口と第２の空間領域の単一開口を残し接着剤を介して連結してなる、請求項１記載の光学系支持装置。
【請求項３】
第１の空間領域は、その端面開口に該第１の空間領域につながる凹状空間を有する、請求項１又は２記載の光学系支持装置。
【発明の詳細な説明】
【０００１】
【発明の属する技術分野】
本発明は、光ディスク等の光学的情報記録及び／又は再生装置において情報記録媒体に光スポットを投射する対物レンズ等の光学系を支持するのに好適な光学系支持装置に関するものである。
【０００２】
【従来の技術】
光学的情報記録及び／又は再生装置は、対物レンズ等の光学素子を、光ディスク面の振れや傾きに追従させつつ、その垂直方向あるいは半径方向に駆動する必要があり、このため、従来は、光学素子を保持するホルダは複数本の金属弾性部材（ワイヤーばね）等の支持部材にて移動可能に支持されている。
【０００３】
光学素子を保持するホルダは、電磁コイルを備える駆動系にて上下、左右の二次元方向（フォーカス方向、トラッキング方向）に駆動されるもので２次元の駆動系を構成することから、これを安定的に制御するためには１次共振を有効に抑制する必要がある。
【０００４】
１次共振を抑制する手段としては、ホルダを支持する支持部材とこの支持部材を保持する保持部材とを緩衝部材を設けてダンピングするようにしており、この点に関する先行技術としては、特開平８−７３０５号公報が参照される。
【０００５】
上記の公報に開示の技術は、ダンピングのための部材として、硬化後の硬度がショアーＡで１程度になるゲル状粘弾性体を用いるものであって、その装置は、図１０に示すように、バネ３０を固定する固定部材４０にゲルを充填する充填部４０ｂとゲルを供給する充填穴４０ｃとゲル量調整のための開口４０ｄを設け、ここにゲルの漏れ防止のためのカバー４１を配置する構成になっている。
【０００６】
この種の装置で使用されるゲル状粘弾性体はその粘度には様々な種類があり、硬化時の粘度が低い（流動性が高い）ほうが、ゲル状粘弾性体中でバネ３０が自由に動けるような感じになるので、バネ特性の変化が少なくレンズを保持するホルダの移動に際して該ホルダが傾く等の悪影響が少ない利点がある。
【０００７】
ところで、硬化時に粘度の低いゲル状弾性体は一般に硬化前においても粘度が低く、充填したゲル状弾性体がその充填部より流出してしまうのが避けられない不具合がある。
【０００８】
この点に関し、上記公報に開示の技術では、カバー４１を使用して充填したゲル状弾性体の漏れを防止する試みがなされてはいるが、以下に述べるような問題があり未だ改善の余地を残している。
【０００９】
固定部材４０には、開口４０ｄ等、開口部が多数あるため、粘度の低いゲル状弾性体を充填した場合には、該弾性体が硬化する前に他の開口部から流れ出てしまうことになり、予定した量のゲル状部材が充填されないため、装置が特性的に劣ったものとなること。
【００１０】
また、ダンピングのためゲル状部材は一般的にシリコーン等を主成分とするものであるが、これが、開口部から流出して他の領域に付着すると、その部位における接着性が悪くなるため作業性が劣化する不具合があること。
【００１１】
また、固定部材４０は、図１１に組み込み状態の断面を示す如く、上下方向（Ｚ方向プラス側とマイナス側）にそれぞれ穴部４０ｂが形成されており、プラス側の穴部４０ｂにゲル状部材を充填して硬化させたのち、今度はマイナス側の穴部４０ｂにゲル状部材を充填しなくてはならず、この点でも作業性が悪いこと。
【００１２】
さらには、図１２に示されているような、穴６０ａを有する保持部材６０と穴６０ａに支持部材としてのワイヤー６１を挿入する構造になる装置においては、ゲル状部材の充填は一度で済む利点はあるものの、ワイヤー６１を穴６０ａに通すという作業が不可欠であり、この点での作業性の劣化は避けられない。
【００１３】
【発明が解決しようとする課題】
本発明の課題は、金属弾性体のダンピングを司るゲル状弾性体の充填に際してその流出を防止し、作業性の改善を図るとともに、ゲル状弾性体が十分に充填された優れた特性を有する光学系支持装置を提案するところにある。
【００１４】
【課題を解決するための手段】
本発明は、レンズを備えたレンズホルダと、ベースに設置された固定部材と、一端を固定部材に固定し他端をレンズホルダに連係させて該レンズホルダをディスク記録媒体の略垂直方向及び／又は略半径方向に移動可能に支持する複数本の金属弾性部材を備えた光学系支持装置であって、
前記固定部材に合わさり、金属弾性部材の一端を固定部材において固定する第１の空間領域とこの第１の空間領域に隣接し該金属弾性部材をその長手方向に沿って取り囲んでダンピング用のゲル状弾性体を充填する第２の空間領域とを形成する蓋体を設け、
第１の空間領域に弾性部材の保持端を望ませる端面開口を形成し、第２の空間領域に該端面開口とは逆向きにおいてのみ開放し、金属部材の長手方向に沿って該第２の空間境域内にゲル状弾性体を充填する単一開口を設け、
前記蓋体が、固定部材の外側面部に当てつけてディスク記録媒体の半径方向（Ｘ方向）の位置決めを行う内側面部と、該固定部材の凸部に当てつけて前記金属部材の長手方向（Ｙ方向）の位置決めを行う、該蓋体に一体的に設けられたアームと、該固定部材の上面部に当てつけてディスク記録媒体の垂直方向（Ｚ方向）の位置決めを行う上内面部とを有する、ことを特徴とする光学系支持装置である。
【００１５】
上記の構成に係わる装置において、蓋体は、各金属弾性部材毎に第１の空間領域及び第２の空間領域を形成するものであるか、もしくは、金属弾性部材の複数本につき同時に第１の空間領域及び第２の空間領域を形成するものであり、
固定部材と蓋体とを、第１の空間領域の端面開口と第２の空間領域の単一開口を残して接着剤を介して連結するのが望ましい。
【００１６】
また、第１の空間領域は、その端面開口に該第１の空間領域につながる凹状空間を有するのが好ましい。
【００１７】
【発明の実施の形態】
以下、図面を参照して本発明をより具体的に説明する。
図１〜図５は本発明に従う光学系支持装置の構成を示したものであり、このうち、図１は装置の外観斜視図であり、図２、図３はその装置の分解状態の斜視図であり、図４、図５は装置の一部断面をそれぞれ示した図である。
【００１８】
まず、図１、図２において番号１はレンズ、２はレンズ１を備えたレンズホルダ、３はアクチュエータベース、４はこのベース３に設置される固定部材（ばね受け部材）、５はレンズホルダ２に設置されたボビンであり、このボビン５の内側には磁石Ｍが配置されており、その周りにはレンズ１を駆動するためのフォーカスコイル６が巻き回され、該ボビン５に隣接してトラッキングコイル７ａ、７ｂが配置されている。
【００１９】
また、８ａ〜８ｄはベリリウム銅製板ばねを適用することができる金属弾性部材である。この金属弾性部材８ａ〜８ｄは４本設けた例で示してあり、一端は固定部材４に固定されており、他端はレンズホルダ２に連係していて該レンズホルダ２をディスク記録媒体の略垂直方向（Ｚ方向）及び／又は略半径方向（Ｘ方向）に移動可能に保持するようになっている。
【００２０】
９ａ、９ｂは固定部材４に合わさる蓋体である。蓋体９ａ、９ｂは固定部材４と合わさることによって、金属弾性部材８ａ〜８ｄの一端を固定部材４において固定するための第１の空間領域Ｋ１、とこの第１の空間領域Ｋ１（図５参照）に隣接し金属弾性部材８をその長手方向（Ｙ方向）に沿って取り囲みダンピング用のゲル状弾性体を充填する第２の空間領域Ｋ２（図５参照）を形成する。ここに、第１の空間領域Ｋ１は金属弾性部材８ａ〜８ｄの保持端を望ませる端面開口ｈを有するものであり、第２の空間領域Ｋ２は端面開口ｈとは逆向きにおいてのみ開放する単一の開口ｈ１を有する。
【００２１】
フォーカスコイル６はボビン５に巻き回された巻線となっていているが、このように、フォーカスコイル６をボビン５に巻き回しレンズホルダ２に配置すると、該フォーカスコイル６を空芯コイルとして直接固定する場合に生じていた、フォーカスコイル６の変形による内側の磁石Ｍへの干渉が防止される。
【００２２】
ボビン５には位置決め用の凸部５ａ、５ｂがその両端に一体的に設けられており、レンズホルダ２に設けた凹部２ａ、２ｂに該凸部５ａ、５ｂを適合させることによって、ボビン５のレンズホルダ２に対する位置決めが行われ、これによって、磁石Ｍ、フォーカスコイル６、トラッキングコイル７ａ、７ｂの位置ずれが最少限に留められる。
【００２３】
フォーカスコイル６、トラッキングコイル７ａ、７ｂの金属弾性部材８への給電は、レンズホルダ２より各コイルの巻き始めと巻き終わりの末端を引き出し、各々金属弾性部材８ａ〜８ｄに絡ハンダによって接続する。
【００２４】
絡ハンダは、各コイル端末をハンダめっき（予備ハンダ）しておき、コイルの端末を金属弾性部材８ａ〜８ｄの端に巻き付けて行うハンダ付を言うものとし、コイルとして銅線を用いることにより予備ハンダした部分が断線するのを防止する。
【００２５】
４本の金属弾性部材８ａ〜８ｄは図３に示す如く、レンズホルダ２と固定部材４のみで固定されるもので、金属弾性部材８ａ〜８ｄの一端をレンズホルダ２の受け部２ｃ〜２ｆに載置し他端を固定部材４の受け部４ａ〜４ｄに載置したところで該受け部２ｃ〜２ｆ、４ａ〜４ｄのそれぞれに接着剤を塗布する。
【００２６】
接着剤は紫外線硬化の性質を有するものを用いるのが好適であり、これによって接着剤の塗布部を紫外線にて速やかに固定する。
【００２７】
金属弾性部材８ａ〜８ｄを固定したところで、蓋体９ａ、９ｂを固定部材４に合わせて固定する。蓋体９ａ、９ｂは合成樹脂製のものを適用することができ、図３において表示した如く固定部材４の外側面部Ｏ、上面部Ｕ、内側面部Ｉに接着剤を塗布したのち、位置決め固定する。
【００２８】
蓋体９ａ、９ｂが固定部材４に固定されると、第１の空間領域Ｋ１及び第２の空間領域Ｋ２が形成される（図４、図５参照）が、蓋体９ａ、９ｂの固定後、第１の空間領域Ｋ１に接着剤を注入することで第２の空間領域Ｋ２以外の隙間はなくなり、ここにゲル状弾性体を充填しても他の領域から流出することはない。
【００２９】
蓋体９ａ、９ｂの位置決めは、図４に示すようにＸ方向においては、固定部材４の外側面部Ｏに蓋体９ａ、９ｂの内側面部Ｂ１、Ｂ２を当てつけ、Ｙ方向には、蓋体９ａ、９ｂに一体的に設けられた基準アームＡ１、Ａ２を固定部材４の凸部４ｅに当てつける。Ｚ方向については、固定部材４の上面部Ｕに蓋体９ａ、９ｂの上内面部Ｃ１、Ｃ２を当てつけることにより行う。
【００３０】
アクチュエータベース３は鉄製の部材からなっていて、磁石Ｍはこのベース３に固定保持されており、レンズホルダ２、固定部材４は蓋体９ａ、９ｂ、金属弾性部材８ａ〜８ｄとともにアクチュエータベース３に固定される。
【００３１】
アクチュエータベース３には、基準穴３ａ、３ｂが設けられていて、固定部材４に一体的に設けられる基準ピン４ｇ、４ｈが該基準穴３ａ、３ｂに嵌合して正確な位置に取り付けられる。
【００３２】
金属弾性部材８ａ〜８ｄのダンピングを得るためのシリコンの如きゲル状弾性体は、固定部材４に蓋体９ａ、９ｂが合わさることによって形成される第２の空間領域Ｋ２に充填され、このとき該ゲル状弾性体は金属弾性部材８ａ〜８ｄをその長手方向に沿って取り囲むこととなる。
【００３３】
ゲル状弾性体を充填するに当たっては、アクチュエータベース３につき、レンズホルダ２側が上になるように立てて、第２の空間領域Ｋ２の開口ｈ１から充填すればよく、この状態で、ゲル状弾性体が外へと流出することはない。ゲル状弾性体として例えば熱硬化型のシリコーンゲルを使用し、アクチュエータベース３を上記のような姿勢に保持して７０℃の温度で３０分間程度放置しておくことにより該ゲルは硬化し、その後にアクチュエータベース３を横にしても第２の空間領域Ｋ２の開口ｈ１から流出することはない。
【００３４】
上記の構成になる装置において、光学系（図示せず）よりレーザ光が発せられると、該レーザ光はレンズ１の下にあるミラー（図示せず）で反射し、レンズ１を通して記録媒体（図示せず）上にスポットが形成される。
【００３５】
記録媒体からの反射光は再びレンズ１およびミラーを通って光学系に戻りフォーカスエラー、トラッキングエラー及び記録信号の検出が行われ、フォーカスエラー、トラッキングエラーが検出された場合は、フォーカスコイル６、トラッキングコイル７ａ、７ｂに金属弾性部材８ａ〜８ｄを介して電流が流れレンズホルダ２が所定の方向へと駆動されることになり、これによって、レンズホルダ２及びこれに保持されたレンズ１のフォーカス制御、トラッキング制御がなされることになる。
【００３６】
シリコーゲル等のゲル状弾性体は、一度付着するとその箇所には接着剤がつきにくく、その他の接着作業において悪影響を及ぼすことになるが、本発明の支持装置は、第２の空間領域Ｋ２は単一の開口ｈ１しかないのでゲル状弾性体の充填作業時に流出するようなことはなく、その後の接着の作業性も著しく向上する。
【００３７】
また、充填したゲル状弾性体の流出がないから、意図したゲル状弾性体がそのまま残るため所望のダンピング特性を有する装置を構成することができることになる。
【００３８】
本発明の実施に形態では、第１の空間領域Ｋ１に接着剤を十分に充填することになるが、通常の状態で接着し若干の隙間が存在する状態であっても、ゲル状弾性体の充填作業を短時間で行うことによりゲル状弾性体が流出することはない。
【００３９】
図６は本発明に従う光学系支持装置の第２の実施の形態を示す外観斜視図であり、図７はその一部断面を示した図である。
【００４０】
図６、図７に示した構成のものは、第１の空間領域Ｋ１の端面開口ｈにこれにつながる凹状空間１０ａ〜１０ｄを設けた例である。
【００４１】
蓋体９ａ、９ｂの接着要領やゲル状弾性体の充填方法については、上掲図１〜図５に示したものと何ら変わるところがないが、この例では凹状空間１０ａ〜１０ｄが設けられているため、端面開口ｈが拡大され、接着剤を充填する際の作業性が改善されるだけでなく、隙間が生じにくくなるため充填したゲル状弾性体のしみ出しを確実に防止することができる。
【００４２】
また、この例では、金属弾性部材８ａ〜８ｄを固定するために接着剤を十分に充填しても、端面から飛び出して凸となることがないので他の部品と干渉するおそれもない。
【００４３】
図８は本発明に従う光学系支持装置の第３の実施の形態を示す外観斜視図であり、図９はその一部断面を示した図である。
【００４４】
図８、図９に示した構成のものは、蓋体９ａ、９ｂの基準アームＡ１、Ａ２の一体化を図り１つの部材とした例である。
【００４５】
金属弾性部材８ａ〜８ｄの固定要領、接着剤、ゲル状弾性体の充填要領については、上掲図１〜５、図６、７に示したものと全く同様の手順にて行うことができるが、この例では、蓋体９を固定部材４に合わせるだけで各金属弾性部材８ａ〜８ｄにおいて第１の空間領域Ｋ１及び第２の空間領域Ｋ２を形成することが可能であり、蓋体９の配置作業が一回ですみ作業の簡略化を図ることが可能になる。また、この例では、部品点数を減らすことができるのでコストの軽減にも有利になる。
【００４６】
【発明の効果】
本発明の請求項１に係る発明によれば、ゲル状弾性体の充填作業時に該ゲル状弾性体が充填空間から流れ出ることがないので作業性が著しく向上し、ゲル状弾性体が十分に充填されることによりダンピング特性の優れた装置を得ることができる。
【００４７】
また、本発明の請求項２に係る発明によれば、ゲル状弾性体を充填する第２の空間領域は開口部以外隙間をなくすことができるので毛細管現象等により該ゲル状弾性体がしみ出すのを防止することができるし、装置の組み立て作業の簡便化が図られるとともに特性の向上させた装置とすることができる。
【００４８】
さらに、本発明の請求項３に係る発明によれば、凹状空間を設けることにより第１の空間領域の端面開口が拡大され、接着剤を隙間なく充填できるとともに作業性も著しく向上させることができる。
【図面の簡単な説明】
【図１】  本発明に従う光学系支持装置の外観斜視図である。
【図２】  図１に示した装置の分解状態を示した斜視図である。
【図３】  図１に示した装置の分解状態を示した斜視図である。
【図４】  図１に示した装置の一部断面を示した図である。
【図５】  図１に示した装置の一部断面を示した図である。
【図６】  本発明に従う光学系支持装置の第２の実施の形態を示した図である。
【図７】  図６に示した装置の一部断面を示した図である。
【図８】  本発明に従う光学系支持装置の第３の実施の形態を示した図えある。
【図９】  図８に示した装置の一部断面を示した図である。
【図１０】  従来の光学系支持装置の要部の構造を示した図である。
【図１１】  図１０の断面を示した図である。
【図１２】  従来の光学系支持装置の他の構造を示した図である。
【符号の説明】
１  レンズ
２  レンズホルダ
２ａ  凹部
２ｂ  凹部
２ｃ〜２ｆ  受け部
３  アクチュエータベース
４  固定部材
４ａ〜４ｄ  受け部
４ｅ、４ｆ  凸部
４ｇ、４ｈ  ピン
５  ボビン
５ａ、５ｂ  凸部
６  フォーカスコイル
７ａ、７ｂ  トラッキングコイル
８ａ〜８ｄ  金属弾性部材
９ａ、９ｂ  蓋体
10ａ〜10ｄ  凹状空間
30  バネ
40  固定部材
40ｂ  充填部
40ｃ  充填穴
40ｄ  開口
41  カバー
Ｋ1  第１の空間領域
Ｋ２  第２の空間領域
Ｍ  磁石
ｈ  端面開口
ｈ１  単一の開口
Ｏ  外側面部
Ｕ  上面部
Ｉ  内側面部
Ａ１、Ａ２  基準アーム
【図１】
0004451019.tif 000002
【図２】
0004451019.tif 000003
【図３】
0004451019.tif 000004
【図４】
0004451019.tif 000005
【図５】
0004451019.tif 000006
【図６】
0004451019.tif 000007
【図７】
0004451019.tif 000008
【図８】
0004451019.tif 000009
【図９】
0004451019.tif 000010
【図１０】
0004451019.tif 000011
【図１１】
0004451019.tif 000012
【図１２】
0004451019.tif 000013